(57)【要約】【課題】ＱＲコード、ＮＦＣタグについて、必要とする情報の内容に応じて、多段階に情報を得ることができる技術を提供する。【解決手段】ＱＲコード付きＮＦＣタグは、ＮＦＣタグ内に、商品や保険、使用者、故人の情報といった特定の情報を記憶し、ＮＦＣタグの表面にＱＲコードを配置し、該ＱＲコードは、商品メーカーのＵＲＬや商品の取説のＵＲＬ、車両情報、保険情報、販売店のＵＲＬ、葬儀社のＵＲＬ、故人情報管理サイトのＵＲＬといった該特定の情報に関連する情報を示すという構成を採用した。【選択図】図１
2020009280.tif 000002
【特許請求の範囲】
【請求項１】
ＮＦＣタグ内に、特定の情報を記憶し、
ＮＦＣタグの表面にＱＲコードを配置し、
該ＱＲコードは、該特定の情報に関連する情報を示すことを特徴とするＱＲコード付きＮＦＣタグ。
【請求項２】
前記ＮＦＣタグは、貼り付け可能であることを特徴とする請求項１に記載のＱＲコード付きＮＦＣタグ。
【請求項３】
前記特定の情報は、書き換え可能であることを特徴とする請求項１又は請求項２に記載のＱＲコード付きＮＦＣタグ。
【請求項４】
前記特定の情報は、書き換え不可に変更可能であることを特徴とする請求項１から請求項３のいずれかに記載のＱＲコード付きＮＦＣタグ。
【請求項５】
前記特定の情報は、暗号化されていることを特徴とする請求項１から請求項４のいずれかに記載のＱＲコード付きＮＦＣタグ。
【請求項６】
前記ＮＦＣタグは、金属への貼り付け可能であることを特徴とする請求項１から請求項５のいずれかに記載のＱＲコード付きＮＦＣタグ。
【請求項７】
前記特定の情報は、少なくとも、商品、保険、使用者、故人の情報のいずれかを含むことを特徴とする請求項１から請求項６のいずれかに記載のＱＲコード付きＮＦＣタグ。
【請求項８】
前記特定の情報は、少なくとも、商品の購入年月日、保障期間、購入者名、店名、連絡先、購入目的のいずれかを含むことを特徴とする請求項１から請求項７のいずれかに記載のＱＲコード付きＮＦＣタグ。
【請求項９】
前記特定の情報は、少なくとも、保険会社のＵＲＬ、代理店のＵＲＬのいずれかを含むことを特徴とする請求項１から請求項８のいずれかに記載のＱＲコード付きＮＦＣタグ。
【請求項１０】
前記特定の情報は、少なくとも、使用者の氏名、性別、年齢、持病、血液型、住所、電話番号のいずれかを含むことを特徴とする請求項１から請求項９のいずれかに記載のＱＲコード付きＮＦＣタグ。
【請求項１１】
前記特定の情報は、少なくとも、故人の氏名、享年、命日、納骨日、回忌法要年月日、寺院、喪主、葬儀社、生前住所、遺族名、遺族連絡先のいずれかを含むことを特徴とする請求項１から請求項１０のいずれかに記載のＱＲコード付きＮＦＣタグ。
【請求項１２】
前記関連する情報は、商品メーカーのＵＲＬ、商品の取説のＵＲＬ、車両情報、保険情報、販売店のＵＲＬ、葬儀社のＵＲＬ、故人情報管理サイトのＵＲＬのいずれかを含むことを特徴とする請求項１から請求項１１のいずれかに記載のＱＲコード付きＮＦＣタグ。
【請求項１３】
請求項１から請求項１２のいずれかに記載の前記ＮＦＣタグが付されたことを特徴とするＱＲコード付きＮＦＣタグ付き物品。
【発明の詳細な説明】
【技術分野】
【０００１】
本発明は、ＮＦＣ（Ｎｅａｒ ｆｉｅｌｄ  ｃｏｍｍｕｎｉｃａｔｉｏｎ）タグ付き物品に関し、詳しくは、ＱＲコード（登録商標）を表面に付したＮＦＣタグによる情報表示に関する技術に関する。
【背景技術】
【０００２】
従来より、物品又は物品に関連した人物、動物等の情報を取得する方法が考えられている。単純な方法として、情報の記載された紙を、取り出し可能に配置する方法がある。例えば、認知症患者のつけるネックレス等に小さなカプセルを取りつけ、カプセル内に氏名、電話番号、住所、かかりつけの医療機関等を記載した紙を入れる方法がある。徘徊する患者を見つけた際、患者の情報を容易に得られるので便利である。しかし、このような方法は、悪意のある人にも容易に情報が取得されてしまうので個人情報保護、セキュリティー上問題であった。
【０００３】
また、他の方法として、ＱＲコード（登録商標）等の符号化マークを物品に貼り付ける方法が考えられている。ＱＲコードに、関連する団体の連絡先の情報や、ホームページのアドレス等の情報を入れる。スマホ等でＱＲコードを撮影、解析することで、連絡すべき団体の連絡先等が示され、利便性を高めることが出来る。しかし、ＱＲコードは、物品の外観に配置しなければならず、場合によっては美観を損ねることになる。また、情報が埋め込まれていることを明示してしまうので、秘匿性が低くなってしまう問題があった。
【０００４】
以上のような課題を解決するために、発明者は、特許文献１に示すように、物品又は物品に関連する情報について、秘匿性を持ち、使用者にとって、情報の取得、表示が容易であり、かつ、物品の美観を維持できる技術を考案した。具体的には、ＮＦＣタグを組み込んだ物品であって、ＮＦＣタグ内に物品に関連する情報を記憶し、携帯端末によって情報を取得、表示可能であることを特徴とするＮＦＣタグ付き物品という構成である。
【０００５】
この構成によって、多くの場合、必要な情報をＮＦＣタグから得ることが出来る。しかしながら、物品又は人についての情報を得ようとする場合に、秘匿性の少ない情報のみを得たい場合もあるし、物品又は人についてのより詳しい情報を得たい場合もある。そこで、必要とする情報の内容に応じて、多段階に情報を得ることができる技術が求められていた。
【０００６】
また、ＮＦＣタグ等を物品の内部に埋め込んだ場合、美観に影響が出ないもののＮＦＣタグの存在も不明確になり、使用するシーンによっては十分な活用が出来ない場合もあった。そこで、ＮＦＣタグの存在を間接的に表現する技術が求められていた。
【先行技術文献】
【特許文献】
【０００７】
【特許文献１】実用新案登録第３２０５２４９号公報
【発明の概要】
【発明が解決しようとする課題】
【０００８】
本発明は、必要とする情報の内容に応じて、多段階に情報を得るという課題に鑑み、ＮＦＣタグにＱＲコードを付加し、ＮＦＣタグ、ＱＲコードそれぞれに、適切な情報を埋め込むことによって課題を解決するものである。
【課題を解決するための手段】
【０００９】
本発明に係るＱＲコード付きＮＦＣタグは、ＮＦＣタグ内に、特定の情報を記憶し、ＮＦＣタグの表面にＱＲコードを配置し、該ＱＲコードは、該特定の情報に関連する情報を示すことを手段とする。
【００１０】
また、本発明は、前記ＮＦＣタグが、貼り付け可能であることを手段とする。
【００１１】
さらに、本発明は、前記特定の情報が、書き換え可能であることを手段とする。
【００１２】
またさらに、本発明は、前記特定の情報が、書き換え不可に変更可能であることを手段とする。
【００１３】
さらにまた、本発明は、前記特定の情報が、暗号化されていることを手段とする。
【００１４】
そしてまた、本発明は、前記ＮＦＣタグが、金属への貼り付け可能であることを手段とする。
【００１５】
またさらに、本発明は、前記特定の情報が、少なくとも、商品、保険、使用者、故人の情報のいずれかを含むことを手段とする。
【００１６】
さらにまた、本発明は、前記特定の情報が、少なくとも、商品の購入年月日、保障期間、購入者名、店名、連絡先、購入目的のいずれかを含むことを手段とする。
【００１７】
そしてまた、本発明は、前記特定の情報が、少なくとも、保険会社のＵＲＬ、代理店のＵＲＬのいずれかを含むことを手段とする。
【００１８】
またさらに、本発明は、前記特定の情報が、少なくとも、使用者の氏名、性別、年齢、持病、血液型、住所、電話番号のいずれかを含むことを手段とする。
【００１９】
さらにまた、本発明は、前記特定の情報が、少なくとも、故人の氏名、享年、命日、納骨日、回忌法要年月日、寺院、喪主、葬儀社、生前住所、遺族名、遺族連絡先のいずれかを含むことを手段とする。
【００２０】
そしてまた、本発明は、前記関連する情報が、商品メーカーのＵＲＬ、商品の取説のＵＲＬ、車両情報、保険情報、販売店のＵＲＬ、葬儀社のＵＲＬ、故人情報管理サイトのＵＲＬのいずれかを含むことを手段とする。
【００２１】
そしてさらに、本発明は、前記ＮＦＣタグが付された物品であることを手段とする。
【発明の効果】
【００２２】
本発明に係るＱＲコード付きＮＦＣタグによれば、使用者にとって必要な情報を、情報の内容に応じて、多段階に取得できるので、秘匿性と容易性を同時に実現できるものであり、使用者の利便性に供するものである。
【図面の簡単な説明】
【００２３】
【図１】本発明に係るＱＲコード付きＮＦＣタグの実施例を示す全体斜視図である。
【図２】本発明に係るＱＲコード付きＮＦＣタグの分解図である。
【図３】本発明に係るＱＲコード付きＮＦＣタグの動作を示すブロック図である。
【図４】本発明に係るＱＲコード付きＮＦＣタグの実施例を示す説明図である。
【図５】本発明に係るＱＲコード付きＮＦＣタグの実施例を示す説明図である。
【図６】本発明に係るＱＲコード付きＮＦＣタグの実施例を示す説明図である。
【発明を実施するための形態】
【００２４】
本発明に係るＱＲコード付きＮＦＣタグは、使用者に必要とする情報を内容に応じて、多段階に取得できることを最大の特徴とする。
以下、本発明に係るＱＲコード付きＮＦＣタグの実施形態を、図面に基づいて説明する。
【００２５】
なお、本実施例で示されるＱＲコード付きＮＦＣタグの全体形状及び各部の形状は、下記に述べる実施例に限定されるものではなく、本発明の技術的思想の範囲内、即ち、同一の作用効果を発揮できる形状や寸法等の範囲内で変更することができるものである。
【実施例１】
【００２６】
図１から図６に沿って説明する。
図１（ａ）は、本発明の全体斜視図を示し、図１（ｂ）は物品に貼付した例を示す図である。図２（ａ）は本発明の分解図である。図３は、本実施例で情報を取得する詳細を示すブロック図である。図４（ａ）は、本発明を物品に貼付け、ＱＲコードからの情報を取得する例を説明する図である。図４（ｂ）は、本発明を物品に貼付け、ＮＦＣタグからの情報を取得する例を説明する図である。図５（ａ）は、本発明をストラップ型とした形状図である。図５（ｂ）は、ストラップ型での、ＱＲコードからの情報を取得する例を説明する図である。図５（ｃ）は、ストラップ型での、ＮＦＣタグからの情報を取得する例を説明する図である。図６（ａ）は、本発明を法具製品に貼付け、ＱＲコードからの情報を取得する例を説明する図である。図６（ｂ）は、本発明を法具製品に貼付け、ＮＦＣタグからの情報を取得する例を説明する図である。
【００２７】
ＱＲコード付きＮＦＣタグ１は、ＮＦＣタグ１２０と台紙部１３０と貼付部１４０とＱＲコード１００が印刷等で表記された表紙部１１０とから構成されている（図２（ａ））。全体としては、薄いボタン状であり、寸法は、一例としては２０φ×０．５ｔである（図１（ａ））。裏面は接着面となっており、物品等に貼り付け可能である。
例えば、冷蔵庫５００のドア部分にＱＲコード付きＮＦＣタグ１を貼り付けた場合、情報が埋め込まれていることを明示しながら、通常は邪魔にならず、使用者の負担となることは少ない（図１（ｂ））。
本実施例では、家電製品の取り扱いについての説明や、保証書についての情報、保険の契約番号、連絡先等に関連したデータをＱＲコード（登録商標）やＮＦＣタグ（登録商標）で取得出来る発明について説明する。
表紙部１１０は、ＱＲコード付きＮＦＣタグ１の表面を形成し、材質は紙、樹脂等であり、軽量で極めて薄い材質である。表面には、ＱＲコード１００が表記されている。
【００２８】
ＱＲコードとは、マトリクス型２次元バーコートの１つである。カメラ又は２次元スキャナを用いて、データを抽出することが出来る。データ量は、ＱＲコードの種類にもよるが数百から数千個バイト程度である。
【００２９】
ＱＲコード１００は、パソコンソフト等で容易に生成可能であり、家電量販店や保険事務所等でも、個別にプリンタ等を用いて、表紙部１１０に印刷することが出来る。
また、図２（ｂ）のように、ＱＲコード１００に文字部１５０を生成することも出来る。ＱＲコード１００自体は、単なるパターンであり、何に関する情報が埋め込まれているか分かりにくいが、文字部１５０を持つことで、内容を推定することが出来る。図２（ｂ）の例では、ＡＢ家電冷蔵庫に関する情報であることが推定でき便利である。
【００３０】
ＮＦＣタグ１２０は、無線タグ（ＲＦタグ）の１つである。ＮＦＣは、Ｎｅａｒ Ｆｉｅｌｄ Ｃｏｍｍｕｎｉｃａｔｉｏｎの略称で、１３．５６ＭＨｚの周波数を利用する近距離無線通信技術である。非接触ＩＣカードの通信および機器間相互通信が可能で、機器を近づけることで通信を行うものである。
【００３１】
ＮＦＣタグとリーダを接近させる必要があるので、混信等が発生しにくい。ＮＦＣタグの情報量は、チップサイズによって異なるが一般的なものは１３０バイト程度であり、外国語も入力できる。また、データの書き込み、修正が出来る。書き込みの禁止の設定、いわゆる入力ロックを行い再入力不可とすることもできる。寿命は半永久的である。耐水性があり、使用温度は約−４０°から１５０°である。ＮＦＣタグとリーダの通信距離は、１０ｍｍ程度である。一般的なＮＦＣタグは金属部分への貼り付けはできないが、金属対応のＮＦＣタグもある。家電製品に貼り付ける場合は、金属対応のＮＦＣタグが好適である。
また、ＮＦＣタグ１２０にデータを書き込み後、使用者が更新する必要が無ければ、安全のために書き換え不可（ロック）としても良い。
【００３２】
台紙部１３０は、表紙部１１０、ＮＦＣタグ１２０を固定する土台部分であり、紙又は樹脂である。貼付部１４０はＱＲコード付きＮＦＣタグ１を家電製品等に貼り付ける接着面を構成する。一般的には両面テープで、一方を台紙部１３０に接着し、他方を家電製品等に貼り付け可能とする。使用までは、剥離紙を付けておく。
【００３３】
ＱＲコード付きＮＦＣタグ１からのデータの取得方法を図３のブロック図に沿って説明する。
スマートフォン２００は、カメラ部２２０、ＮＦＣリーダ部２３０、制御部２５０、メモリ部２４０、表示部２１０、ネット通信部２７５から構成されている。スマートフォン２００は、携帯電話を含む携帯端末一般でも良い。
カメラ部２２０は、映像を撮影する部分であり、ＱＲコード１００を撮影することによって、ＱＲコード１００のパターンを映像データとして、スマートフォン２００内に取り込む。
ＮＦＣリーダ部２３０は、ＮＦＣタグ１２０と近接無線通信し、ＮＦＣタグ１２０内に書き込まれた情報を取得したり、ＮＦＣタグ１２０内に情報を書き込んだり、ＮＦＣタグ１２０内の情報を修正したりする部分である。
表示部２１０は、スマートフォン２００内の情報等を表示する部分であり、文字、アイコン、画像等を表示することが出来る。着信表示、メール等も表示する。メモリ部２４０は、データの記憶部分であり、スマートフォン２００の基本ＯＳやアプリケーション、一時的なデータ等を記憶する。ＱＲコード１００を読み込むＱＲコードアプリ２６０、ＮＦＣタグ１２０のデータを読み込むＮＦＣタグアプリ２７０もメモリ部２４０にインストールされている。制御部２５０は、スマートフォン２００全体を制御する部分であり、カメラ部２２０の制御、ＮＦＣリーダ部２３０の制御、表示部２１０の制御等をメモリ部２４０に記憶されたアプリケーション（プログラム等）によって行う。
ネット通信部２７５は、インターネットと通信する部分であり、スマートフォン２００とインターネットの情報をやり取りしたり、インターネット上のホームページの情報を取得したりする。
【００３４】
ＱＲコード１００を読み込む手順を説明する。ＱＲコードアプリ２６０が起動され、ＱＲコードアプリ２６０に従って、制御部２５０が、カメラ部２２０を起動し、カメラ部２２０によって撮影されたＱＲコード１００のパターンが撮影される。撮影されたパターンはメモリ部２４０に記憶される。制御部２５０は、パターンを解析し、埋め込まれたデータを抽出する。制御部２５０は、得られたデータがテキストデータであれば、それを文字表示画面２９０として表示部２１０に表示する。ＵＲＬ（Ｕｎｉｆｏｒｍ Ｒｅｓｏｕｒｃｅ Ｌｏｃａｔｏｒ）データであれば、ネット通信部２７５を介して、該当するＵＲＬのホームページの情報を取得し、ブラウザ表示画面２８０として表示部２１０上に表示する。
このように一連の動作によって、使用者は、ＱＲコード１００の情報を得ることが出来る。
【００３５】
ＮＦＣタグ１２０のデータを読む込む手順を説明する。ＮＦＣタグアプリ２７０が起動され、ＮＦＣタグアプリ２７０に従って、制御部２５０が、ＮＦＣリーダ部２３０に対して通信開始、ＮＦＣタグ１２０内の情報取得を指示し、ＮＦＣリーダ部２３０は、制御部２５０に対してＮＦＣタグ１２０内の情報を通知する。制御部２５０は、メモリ部２４０に情報を記憶する。制御部２５０は、データがテキストデータであれば、それを文字表示画面２９０として表示部２１０に表示する。ＵＲＬデータであれば、ネット通信部２７５を介して、該当するＵＲＬのホームページの情報を取得し、ブラウザ表示画面２８０として表示部２１０上に表示する。
このように一連の動作によって、使用者は、ＮＦＣタグ１２０の情報を得ることが出来る。
【００３６】
このように、本発明によって、ＱＲコード付きＮＦＣタグ１から、ＱＲコードからとＮＦＣタグからとで多段階に情報を取得できるので、秘匿性の高い情報と情報取得容易とすべき情報を同時に付加することもできる。
また、ＮＦＣタグ１２０の存在を間接的に明示できるので、緊急性のある場合も容易に対応することが出来る。
【００３７】
図４に沿って、ＱＲコード付きＮＦＣタグ１を家電製品に使用する場合の使用例を示す。
ＱＲコード１００には、特定の家電製品についてのインターネット上の取扱説明書に関するホームページを示すＵＲＬが埋め込まれている。ＵＲＬは、該当するホームページの表紙部分を示してもいいし、ホームページ内の該当する製品の取扱説明書を示すページでもよい。
ＱＲコード１００は、家電量販店等で、あらかじめ家電製品ごとに生成し、ＱＲコード付きＮＦＣタグ１に印刷等しておいてもいいし、使用者が家電製品を購入する際に、ＮＦＣタグへの書き込みと同時に、ＱＲコード付きＮＦＣタグ１に印刷等しても良い。
【００３８】
ＮＦＣタグ１２０に、家電名、型式、購入者名（番号）、購入日、保障期間、販売先店舗名、電話番号等を書き込む。全部で１３０バイト以内になるように調整する。書き込み後、使用者が更新する必要が無ければ、安全のために書き換え不可（ロック）としても良い。
また、個人情報を含む場合は、パスワード等を付加することによって、使用者等のみが情報を確認できるようにしても良い。
書き込みは、製品購入時に、家電量販店側が行う。一例としては、通常の紙の保証書等と同時に渡し、ＱＲコードで取扱説明書を見ることが出来、ＮＦＣタグで、保障期間等が確認出来ることを説明する。さらに、家電設置時に、邪魔にならない箇所に、ＱＲコード付きＮＦＣタグ１を貼っておくことで、本製品についての情報を容易に引き出せることを説明する。
【００３９】
使用者は、例えば、冷蔵庫５００のドアに、ＱＲコード付きＮＦＣタグ１を貼り付ける。冷蔵庫５００の使用を続ける中で、トラブル等が発生した場合に、使用者は、冷蔵庫５００のドアに貼られたＱＲコード付きＮＦＣタグ１のＱＲコード１００をスマートフォン２００のＱＲコードアプリ２６０を用いて撮影する。ＱＲコードに埋め込まれたＵＲＬに従って、インターネット４００上から、情報を取得する。スマートフォン２００の表示部２１０にブラウザ表示画面２８０が生成される。使用者は、画面上で、冷蔵庫５００の取扱説明書に関するホームページを閲覧することができる（図４（ａ））。そのため、使用者は、保管されている取扱説明書を探すことなく、トラブル等を解決することが出来、極めて、便利である。
【００４０】
また、使用者が、冷蔵庫５００の修理を依頼しようとした場合に、冷蔵庫５００のドアに貼られたＱＲコード付きＮＦＣタグ１のＮＦＣタグ１２０のデータをスマートフォン２００のＮＦＣタグアプリ２７０を用いて取得できる。スマートフォン２００の表示部２１０に文字表示画面２９０が生成される。使用者は、画面上で、冷蔵庫の保証期間、販売先店舗名等を確認することが出来、スムーズに修理依頼をすることができる（図４（ｂ））。
【００４１】
このように、本発明によって、家電製品について、使用者が保証書や取扱説明書の保管管理についての負担が軽減され、極めて便利である。
【００４２】
ＱＲコード付きＮＦＣタグ１を人が身につけたり、持ち物に付けたりする場合の使用例について図５に沿って説明する。
ＮＦＣタグ１２０をストラップの台座部分に配置することで、情報を埋め込むことが出来るが、場合によっては、ＮＦＣタグ１２０の存在が認識されない場合もある。例えば、旅行先が倒れた場合や、持ち物を忘れてしまった場合、また、使用者が認知症患者の場合等である。そのような場合は、ストラップ等にＮＦＣタグ１２０が埋め込まれていても、たまたま通りかかった第三者には、ＮＦＣタグ１２０を認識することは困難である。
旅行先で倒れた場合には、ストラップに情報を取得出来ると思われるＱＲコードが表記してあれば、第三者は、そこから、氏名や連絡先を容易に知ることが出来る。認知症患者の場合も同様である。忘れ物についてもストラップにＱＲコードが表記してあれば、第三者は、持ち主の名前、電話番号等が埋め込まれていると容易に推定出来る。さらに、ＮＦＣタグが内蔵されることによって、さらに詳しい情報や秘匿性の高い情報も段階的に知ることが出来るので、よりスムーズな対応が可能となる。
【００４３】
これらの使用に対応するために、いくつかの形態が考えられる。
１つとしては、ストラップ型のお守りの形態が考えられる（図５（ａ））。ストラップ型のお守りは、持ち物に付ける形状であり、ストラップ形ＱＲコード付きＮＦＣタグ３００の台座部３１０の一方に観音像３３０を表記し、裏面にＱＲコード１００を表記し、内部にＮＦＣタグ１２０を埋め込む。このような構成とすることで、お守りとして何ら違和感がなく、且つ、ＱＲコード１００によって、情報が埋め込まれていることを明示できる。
【００４４】
形状的には、ビーズチェーン型でもいいし、観音像３３０の代わりに写真を入れたものでもいい。また、シール型としてもいい。このように、ストラップやキーホルダ、シール等様々な形状をとることが出来る。
【００４５】
ＱＲコード１００には保険会社名、保険の契約Ｎｏ、連絡先、使用者氏名、持病、血液型、年齢、性別、住所、電話番号等を埋め込む。また、自動車保険であれば、ＱＲコード１００には、車両情報として、購入店、連絡先、車体番号、車種を入れてもよい。ＮＦＣタグ１２０には、保険会社のＵＲＬ等を記憶する。
使用者等が、ストラップ形ＱＲコード付きＮＦＣタグ３００のＱＲコード１００をスマートフォン２００のＱＲコードアプリ２６０を用いて撮影、情報を抽出する。表示部２１０に表示された氏名、電話番号等によって、緊急な場合にも迅速に連絡することが出来る（図５（ｂ））。
使用者等が、ストラップ形ＱＲコード付きＮＦＣタグ３００のＮＦＣタグ１２０をスマートフォン２００のＮＦＣタグアプリ２７０を用いて、ＮＦＣタグ１２０のデータを読む込むことが出来る。ＮＦＣタグ１２０には、保険会社のＵＲＬが記載されているので、使用者等は、容易に保険会社のホームページにアクセスすることが出来る（図５（ｃ））。
【００４６】
このように、身近なストラップのようなものにデータを埋め込むことが出来、且つ、情報が埋め込まれていることを明示することが出来、便利である。
【００４７】
次に、ＱＲコード付きＮＦＣタグ１を遺影や位牌、墓石、納骨箱などの法具製品６００に使用する場合の使用例について、図６に沿って説明する。
法具製品６００にＱＲコード付きＮＦＣタグ１が貼り付けてあることで、遺族をはじめ第三者は、そこから、故人の情報並びに葬儀社や製品の情報を容易に知ることが出来る。特に、ＮＦＣタグ１２０にＱＲコード１００が表記してあることで、第三者は、故人に関連する情報が埋め込まれていると容易に推定出来る。さらに、ＮＦＣタグが内蔵されることによって、さらに詳しい情報や秘匿性の高い情報も段階的に知ることが出来るので、よりスムーズな対応が可能となる。
【００４８】
これらの使用に対応するために、いくつかの形態が考えられる。
ＱＲコード１００には、特定の法具製品６００についての販売店や故人の葬儀・法要を担当した葬儀社のホームページを示すＵＲＬ、あるいは、故人に関する遺言その他各種情報を管理するサイトのＵＲＬが埋め込まれている。
【００４９】
ＮＦＣタグ１２０には、故人名、享年、命日、納骨日、回忌法要年月日、寺院、喪主、葬儀社、遺族名、遺族連絡先（電話番号）等を書き込む。全部で１３０バイト以内になるように調整する。書き込み後、使用者が更新する必要が無ければ、安全のために書き換え不可（ロック）としても良い。
また、個人情報を含む場合は、パスワード等を付加することによって、使用者等のみが情報を確認できるようにしても良い。
【００５０】
ＮＦＣタグ１２０への書き込みは、法具製品６００の販売店や葬儀社側が行う。一例としては、ＱＲコード１００で販売店や葬儀社のホームページあるいは故人に関する情報を管理するサイトを見ることが出来、ＮＦＣタグ１２０で故人の名前や命日、回忌法要年月日等が確認出来ることを説明する。さらに、遺影の裏面など法具製品６００における目立たない箇所にＱＲコード付きＮＦＣタグ１を貼っておくことで、見た目に違和感なく、故人の情報を容易に引き出せることを説明する。
【００５１】
使用者（ここでは遺族）は、例えば、遺影や位牌といった法具製品６００の裏面に、ＱＲコード付きＮＦＣタグ１を貼り付ける。遺影を掲架あるいは位牌を載置し続ける等の中で、ＮＦＣタグ１２０のデータをスマートフォン２００のＮＦＣタグアプリ２７０を用いて取得できる。スマートフォン２００の表示部２１０に文字表示画面２９０が生成される。使用者は、画面上で、故人の享年や命日、回忌法要年月日、寺院、葬儀社等を確認することが出来、スムーズに法要等の準備をすることができる（図６（ａ））。
【００５２】
また、使用者は、例えば故人の回忌法要年月日が近づいてきた場合に、遺影や位牌といった法具製品６００の裏面に貼られたＱＲコード付きＮＦＣタグ１のＱＲコード１００をスマートフォン２００のＱＲコードアプリ２６０を用いて撮影する。ＱＲコード１００に埋め込まれたＵＲＬに従って、インターネット４００上から、情報を取得する。スマートフォン２００の表示部２１０にブラウザ表示画面２８０が生成される。例えば、使用者は、画面上で葬儀社のホームページを閲覧することができ、当該葬儀社に回忌法要の種々準備・執行をホームページ上から依頼することができる。あるいは、使用者は、画面上で法具製品６００の販売店ホームページ等から当該法具製品６００に関連する商品や新規商品等を閲覧でき、法要等で新たに必要な法具製品６００を販売店ホームページを介して購入あるいはレンタル等することができる。あるいは、使用者は、画面上で故人に関する遺言その他各種情報を管理するサイトを閲覧でき、法要等に関する故人の遺志や遺言その他の故人に関する情報を確認でき、必要に応じて法要参列者に紹介することができる。このように、使用者は、回忌法要等に際し、ＱＲコード１００を介して表示された葬儀社に依頼したり、必要な法具製品６００を取り揃えたり、故人の遺志を確認したりすることが容易に出来、自ら面倒な準備や手配をせずとも、滞りなく執り行うことが可能であって、極めて、便利である（図６（ｂ））。
【００５３】
このように、本発明によって、故人に関する情報の使用者による保管及び管理の負担、並びに法要等についての使用者の準備等にかかる手間が軽減され、極めて便利である。
【００５４】
また、本発明は、以下のような使い方も考えられる。
例えば、観光地、地域に関連した情報、有名人（芸能人、相撲、プロ野球選手等）に関連した情報、結婚式の愛の言葉、思い出、メッセージの入力、故人の経歴、家系図の情報、ブランド品の製品名、製造番号、製造年月日、購入年月日の情報を、ＱＲコード１００とＮＦＣタグ１２０に多段階に書き込むことにより、多面的な情報を知ることが出来、便利である。
また、人に関する情報以外に、ペットについての情報をＱＲコード１００、ＮＦＣタグ１２０に埋め込むことで、迷子の場合も、第三者が、よりスムーズに情報を取得出来るようにすることも出来る。
【産業上の利用可能性】
【００５５】
本発明に係るＱＲコード付きＮＦＣタグは、情報埋め込み型物品の活用についての産業上の利用可能性は大きいと解する。
【符号の説明】
【００５６】
１    ＱＲコード付きＮＦＣタグ
１００    ＱＲコード
１１０    表紙部
１２０    ＮＦＣタグ
１３０    台紙部
１４０    貼付部
１５０    文字部
２００    スマートフォン
２１０    表示部
２２０    カメラ部
２３０    ＮＦＣリーダ部
２４０    メモリ部
２５０    制御部
２６０    ＱＲコードアプリ
２７０    ＮＦＣタグアプリ
２７５    ネット通信部
２８０    ブラウザ表示画面
２９０    文字表示画面
３００    ストラップ形ＱＲコード付きＮＦＣタグ
３１０    台座部
３２０    ストラップ部
３３０    観音像
４００    インターネット
５００    冷蔵庫
６００    法具製品
【図１】
2020009280.tif 000003
【図２】
2020009280.tif 000004
【図３】
2020009280.tif 000005
【図４】
2020009280.tif 000006
【図５】
2020009280.tif 000007
【図６】
2020009280.tif 000008